(57)【要約】【課題】この発明は、ローラ刷毛への塗料の付着量を適切にでき、しかも、安価で使用しやすい塗装用内容器を提供することを目的とする。【解決手段】上述の課題を解決するため、この発明の塗装用内容器３は、外容器２の中に取り付けて使用される使い捨ての塗装用内容器であり、合成樹脂により形成されていて、側面８ｃ内側の上部にローラしごき用の凹凸９が形成されている。【選択図】図１
2016022428.tif 000002
【特許請求の範囲】
【請求項１】
外容器の中に取り付けて使用される使い捨ての塗装用内容器であり、合成樹脂により形成されていて、側面内側の上部にローラしごき用の凹凸が形成されている塗装用内容器。
【請求項２】
ローラしごき用の凹凸は平行な複数の畝部で形成されている請求項１に記載の塗装用内容器。
【請求項３】
ローラしごき用の凹凸は側面内側の外側から中央部にかけて下がるように傾斜した複数の畝部で形成されている請求項２に記載の塗装用内容器。
【発明の詳細な説明】
【技術分野】
【０００１】
この発明は、ローラ刷毛による塗装において用いられる塗装用の容器に関するものである。
【背景技術】
【０００２】
特許文献１には、ローラ刷毛を使用するための蓋付き塗装用トレーが記載されている。特許文献１の蓋付き塗装用トレーでは、例えば蓋面内などにローラしごき部が設けられている。
【０００３】
また、特許文献２にもローラ刷毛で塗装するための塗料を入れるローラ刷毛用容器が記載されている。このローラ刷毛用容器は、外容器およびその中に収容される使い捨て用の内容器を備える。さらに、山形状の突起が千鳥状に設けられたしごき板も備えており、容器内に傾斜させて立て掛けるように取り付けられる。
【先行技術文献】
【特許文献】
【０００４】
【特許文献１】特開２００２−２５４０１９号
【特許文献２】実開平７−３４９５８号
【発明の概要】
【発明が解決しようとする課題】
【０００５】
ローラ刷毛を使用して塗装をする場合、塗料を溜めた容器内にローラ刷毛を入れて引き上げたときに、適量以上の塗料が付着するときがある。そのままの状態で塗装しようとすれば、塗装対象へ行く前に塗料が落ちて周囲を汚したり、過剰の塗料が塗られることになる。そこで、ローラ刷毛を何らかの面にこすりつけるように押し当てて、余分な塗料を落とす動作、いわゆる、しごくと呼ばれる作業が必要となる
【０００６】
特許文献１の蓋付き塗装用トレーでは、例えば蓋面内などのローラしごき部により、ローラ刷毛をしごくことができる。しかし、ローラしごき部が使用できるように蓋をセット状態では、容器を移動させにくい。また、使用後には蓋を洗浄して塗料を取り除く必要があり、不便である。
【０００７】
特許文献２のローラ刷毛用容器は、外容器およびその中に収容される使い捨て用の内容器を備えているので、使用しても外容器は汚れない。使用後には使い捨て用の内容器を取り外せばよく、新しい内容器を取り付けることにより外容器は再使用できる。一方、内容器は少ない材料で安く量産できるので、運用コストは低減できる。しかし、容器内に傾斜させて立て掛けて使用するしごき板は、ローラ刷毛が押し当てられても変形しないような強度を確保するためにかなりの厚さが必要である。また、容器の上端部から底に至るまでほぼ容器内の対角線に沿ってとりつけるためにはかなりの長さも必要である。したがって、このしごき板は内容器などに比べて高価なものにならざるを得ないが、使用後には廃棄されるので、運用コストが高くなり、また、資源の無駄でもある。さらに、内容器を取り換える度にしごき板を着脱するのも面倒な作業である。
【０００８】
この発明は、ローラ刷毛への塗料の付着量を適切にでき、しかも、安価で使用しやすい塗装用内容器を提供することを目的とする。
【課題を解決するための手段】
【０００９】
上述の課題を解決するため、この発明の塗装用内容器は、外容器の中に取り付けて使用される使い捨ての塗装用内容器であり、合成樹脂により形成されていて、側面内側の上部にローラしごき用の凹凸が形成されている。ローラしごき用の凹凸は平行な複数の畝部で形成してもよく、さらには、側面内側の外側から中央部にかけて下がるように傾斜した複数の畝部としてもよい。
【発明の効果】
【００１０】
この発明の塗装用内容器によれば、側面内側の上部にローラしごき用の凹凸によりローラ刷毛に着いた余分な塗料を簡単に落とすことができる。ローラしごき用の凹凸は内容器の一部として設けることができるので、安く実現することができる。内容器として簡単に着脱でき、使用後には廃棄処分できる。
【図面の簡単な説明】
【００１１】
【図１】塗装用内容器を示す斜視図である。
【図２】ローラしごき用の凹凸の第１の例を示す正面図である。
【図３】同部分断面図である。
【図４】ローラしごき用の凹凸の第２の例を示す正面図である。
【図５】ローラしごき用の凹凸の第３の例を示す正面図である。
【発明を実施するための形態】
【００１２】
この発明を実施するための形態について、図面に基づいて説明する。図１は塗装用内容器を示す斜視図である。塗装用容器１は、外容器２と、外容器２の中に取り付けて使用される使い捨ての塗装用内容器３を備える。
【００１３】
外容器２は上部が開口した概ね箱状の容器であり、底面４と、ほぼ垂直な４面の側面５ａ、５ｂ、５ｃ、５ｄを有する。対向する２つの側面５ａ、５ｂの上部には２本の取っ手６が回転自在に取り付けられていて、立てた状態のときは持ち手として握ることができ、倒したときは容器の外側に退避するようになっている。この外容器２の底面は水平であってもよいが、一部または全部が緩やかに傾斜していてもよく、あるいは、一部に液溜め用の凹部が形成されていてもよい。また、４面の側面５ａ、５ｂ、５ｃ、５ｄは完全に垂直である必要はなく、下から上へ外向きに開くような傾斜が付いていることが好ましい。外容器２の側面が外開きのテーパになっていることにより、内容器３の着脱が容易になる。この外容器２は金属や厚めの合成樹脂などで十分な強度を有するように作られ、繰り返し使用できるようになっている。
【００１４】
塗装用内容器３は、ポリプロピレン (polypropylene) などの熱可塑性樹脂により作られる。外容器２に比べて薄く、柔軟性を持たせて形成する。外容器２と同様に上部が開口した概ね箱状の容器であり、底面７と、ほぼ垂直な４面の側面８ａ、８ｂ、８ｃ、８ｄを有する。塗装用内容器３の外形は外容器２の内壁面と実質的に同じである。
【００１５】
塗装用内容器３の４面の側面８ａ、８ｂ、８ｃ、８ｄのうち、一対の側面８ａ，８ｂは、取っ手６が取り付けられている外容器２の側面５ａ，５ｂに接する。そして、他の２つの側面８ｃ，８ｄは、取っ手６が取り付けられていない外容器２の側面５ｃ，５ｄに接する。この２つの側面８ｃ，８ｄの側面のうち、少なくとも一つの面８ｃの上部には、ローラしごき用の凹凸９が設けられている。
【００１６】
凹凸９が設けられている領域の幅は、ローラ刷毛のローラの長さと同等またはそれより若干長めになっている。特に、塗料面よりも上になる部分に凹凸９を設けるようにする。側面８ｃの下部には凹凸９を設ける必要はない。
【００１７】
図２はローラしごき用の凹凸の第１の例を示す正面図、図３は同Ａ−Ａ部分断面図である。図２は容器の内側より、側面８ｃを見た図である。本例では、ローラしごき用の凹凸９は平行な複数の畝部で形成されている。この例では、畝部の高さおよび幅はそれぞれ４ｍｍ程度であるが、ローラ表面の材質や固さ、あるいは塗料の粘度などに応じて、２〜６ｍｍの範囲内で適宜選択することができる。４本程度の畝部が平行に設けられており、その間は１０ｍｍ程度の幅の谷部となっている。
【００１８】
塗装用内容器３は例えば射出成型などにより安価かつ大量に生産できるが、その型に凹凸を設けておくことにより、ローラしごき用の凹凸９も同時に形成することができる。
【００１９】
塗装用内容器３を外容器２の中に取り付け、塗装用内容器３に必要量の塗料を入れることにより、塗装が行われる。取っ手６があるので、塗装面まで簡単に持ち運ぶことができ、また、塗装作業中の移動も容易である。ローラ刷毛を塗装用内容器３に入れて、ローラ面に塗料を付着させる。そして、ローラ面をローラしごき用の凹凸９に押し当てながら上下動させることによりローラ面をしごくことができ、余分な塗料を簡単に落として、付着量を適切にできる。ローラ面から取り除かれた余分な塗料は側面８ｃを伝って容器内に回収される。本例では、ローラの軸に平行な畝部が効果的にローラ面をしごく。
【００２０】
使用後には、塗装用内容器３を外容器２から取り外し、廃棄すればよい。塗装用内容器３は安価な使い捨て容器として提供できるので、廃棄処分は簡単であり、運用コストも低い。塗料の種類を変更するときも、塗装用内容器３を取り換えればよい。
【００２１】
塗装用内容器３は、使用しないときは相互に中に入れて重ねることができる。これにより、場所をとらず、保管や持ち運びにも便利である。塗装用内容器３は、薄く、かつ、柔軟に作ることができ、また、凹凸の高さもさほど大きくないので、重ね合わせや取り外しは容易である。
【００２２】
図４はローラしごき用の凹凸の第２の例を示す正面図である。第１の例と同様に平行な複数の畝部が形成されている。本例では、畝部は左右に分割されており、それぞれ外側から中央にかけて緩やかに下がるように傾斜していて、逆ハの字の形状になっている。この逆ハの字の畝部が４本程度、平行に形成されている。
【００２３】
このローラしごき用の凹凸９にローラ面を押し当てることにより、余分な塗料を取り除くことがでいる。取り除かれた塗料は畝部を伝って中央に流れ、左右の畝部の間にある空白部を通って、容器内に落ちていく。
【００２４】
図５はローラしごき用の凹凸の第３の例を示す正面図である。本例では、多数の突起部が形成されている。この突起は、円筒状でもよく、球面状、あるいは円錐状でもよい。たとえば、突起部を千鳥状に配置することにより、ローラ面を均等にしごくことができる。
【符号の説明】
【００２５】
１．塗装用容器
２．外容器
３．塗装用内容器
４．底面
５．側面
６．取っ手
７．底面
８．側面
９．ローラしごき用の凹凸
【図１】
2016022428.tif 000003
【図２】
2016022428.tif 000004
【図３】
2016022428.tif 000005
【図４】
2016022428.tif 000006
【図５】
2016022428.tif 000007